(57)【要約】      （修正有）【課題】スプリングワッシャーが位置ずれしたり脱落したりすることのないバネ付き座金を提供する。【解決手段】スプリングワッシャー１４は、始端部１４ａから終端部１４ｂまで、該スプリングワッシャーの肉厚に相当するピッチで１巻きの螺旋を構成することにより上り勾配を有している。座金本体１１は、挿通孔１２の周方向に間隔をあけて少なくとも３本の舌片を設けることにより、前記スプリングワッシャー１４の巻回方向に向けて順次、第１舌片１３ａ、第２舌片１３ｂ、第３舌片１３ｃを構成している。スプリングワッシャー１４を座金本体１１の上面に添設した状態で、第１舌片１３ａ及び第２舌片１３ｂの先端に折曲形成した爪部１５ａ、１５ｂによりスプリングワッシャーを抱持すると共に、第３舌片１３ｃの先端１７をスプリングワッシャーの周面に摺動自在に当接している。【選択図】図２
0003156046.tif 000002
【実用新案登録請求の範囲】
【請求項１】
挿通孔の周縁近傍に沿って上向きに突出する舌片を設けた座金本体と、始端部から終端部に向けて上り勾配を有するように１巻きの螺旋を形成するスプリングワッシャーとから成り、前記スプリングワッシャーを座金本体の上面に添設した状態で、前記舌片の先端に折曲形成した爪部によりスプリングワッシャーを抱持して成るバネ付き座金において、
前記座金本体(11)は、挿通孔(12)の周方向に間隔をあけて少なくとも３本の舌片を設けることにより、前記スプリングワッシャー(14)の巻回方向に向けて順次、第１舌片(13a)、第２舌片(13b)、第３舌片(13c)を構成し、第１舌片(13a)及び第２舌片(13b)の先端に折曲形成した爪部(15a)(15b)によりスプリングワッシャーを抱持すると共に、第３舌片(13c)の先端(17)をスプリングワッシャーの周面に摺動自在に当接して成ることを特徴とするバネ付き座金。
【請求項２】
前記スプリングワッシャー(14)は、始端部(14a)から終端部(14b)まで、該スプリングワッシャーの肉厚Ｔに相当するピッチＰで１巻きの螺旋を構成することにより上り勾配を有しており、
前記座金本体(11)の第１舌片(13a)、第２舌片(13b)、第３舌片(13c)は、挿通孔(12)の周方向に等間隔をあけて配置され、前記第1舌片(13a)の爪部(15a)によりスプリングワッシャーの始端部(14a)の近傍部を抱持しており、
前記第３舌片(13c)は、座金本体(11)の上面から該第３舌片の先端(17)までの突出高さＨを、２／３Ｔ＜Ｈ≦２・Ｔとなるように形成されて成ることを特徴とする請求項１に記載のバネ付き座金。
【考案の詳細な説明】
【技術分野】
【０００１】
本考案は、ゆるみ止め用のスプリングワッシャーを一体的に取付けたバネ付き座金に関する。
【背景技術】
【０００２】
従来、挿通孔の周縁に沿って上向きに突出する舌片を設けた座金本体と、始端部から終端部に向けて１巻きの螺旋を形成するスプリングワッシャーとから成り、前記スプリングワッシャーを座金本体の上面に添設した状態で、前記舌片の先端に折曲形成した爪部によりスプリングワッシャーを抱持して成るバネ付き座金が提案されている。
【先行技術文献】
【特許文献】
【０００３】
【特許文献１】特許第２９５８７７０号公報
【特許文献２】実用新案登録第３１３７３８２号公報
【考案の概要】
【考案が解決しようとする課題】
【０００４】
特許文献１により提案されたバネ付き座金は、図４に示すように、座金本体１の挿通孔２の直径方向で該挿通孔２の外周側に位置して２本の舌片３ａ、３ｂを上向きに突設しており、座金本体１の上面に前記挿通孔２と同心状にスプリングワッシャー４を添設した状態で、前記舌片３ａ、３ｂを内側に折曲形成した爪部５ａ、５ｂによりスプリングワッシャー４を抱持している。
【０００５】
特許文献２により提案されたバネ付き座金は、図５に示すように、座金本体１の挿通孔２の直径方向で該挿通孔２の内周側に位置して２本の舌片３ａ、３ｂを上向きに突設しており、座金本体１の上面に前記挿通孔２と同心状にスプリングワッシャー４を添設した状態で、前記舌片３ａ、３ｂを外側に折曲した爪部５ａ、５ｂによりスプリングワッシャー４を抱持している。
【０００６】
しかしながら、何れのバネ付き座金においても、例えば、舌片３ｂの爪部５ｂが折曲不良とされている場合、残りの舌片３ａの爪部５ａにより１点でスプリングワッシャー４を保持するため、図４（Ａ）及び図５（Ａ）に鎖線で示すように、挿通孔２に対してスプリングワッシャー４が偏心方向に位置ずれを起こしたり、座金本体１から外れて脱落したりするおそれがある。
【０００７】
通常、スプリングワッシャー４は、始端部４ａから終端部４ｂまで、該スプリングワッシャー４の肉厚Ｔに相当するピッチＰで１巻きの螺旋を構成し、上り勾配を有しており、第１舌片３ａの爪部５ａによりスプリングワッシャー４の始端部４ａの近傍部を抱持し、第２舌片３ｂの爪部５ｂによりスプリングワッシャー４の中間部４ｃを抱持している。従って、図４（Ｂ）及び図５（Ｂ）に示すように、第１舌片３ａの爪部５ａは、始端部４ａの近傍部を座金本体１の上面に挟着するが、第２舌片３ｂの爪部５ｂは、中間部４ｃの上面に係止される。
【０００８】
ところで、第２舌片３ｂの先端に爪部５ｂを折曲形成する際、折曲方向の力を受けて中間部４ｃが下方に移動可能とされているため、折曲不良を生じやすく、上述のような位置ずれや脱落の原因となる。
【０００９】
また、第２舌片３ｂの爪部５ｂが折曲不良を生じていない場合でも、図４（Ｃ）及び図５（Ｃ）に示すように、ボルト・ナットの締着時に、ボルト頭部又はナットから成る押圧部材６がスプリングワッシャー４の終端部４ｂを押下すると、同時に中間部４ｃが押下されて舌片３ｂの爪部５ｂから離れるので、ボルト・ナットを完全に締着する前にスプリングワッシャー４が偏心方向に位置ずれを起こすおそれがある。
【００１０】
そして、図４に示す従来技術の場合、舌片３ａ、３ｂがスプリングワッシャー４の外周側に設けられているので、ボルト・ナットを完全に締着すると、図４（Ｃ）に鎖線で示すように、第２舌片３ｂが外側に逃げるように折曲されながら押しつぶされる。
【００１１】
また、図５に示す従来技術の場合、舌片３ａ、３ｂがスプリングワッシャー４の内周側に設けられているので、ボルト・ナットを完全に締着すると、図５（Ｃ）に鎖線で示すように、第２舌片３ｂが内側のクリアランスに向けて逃げるように折曲されながら押しつぶされる。
【００１２】
尚、図４及び図５に示す何れの従来技術の場合も、ボルト・ナットを強く締着したとき、第１舌片３ａの爪部５ａが押しつぶされ、肉厚を薄くする。
【課題を解決するための手段】
【００１３】
本考案は、上記課題を解決したバネ付き座金を提供するものであり、その手段として構成したところは、挿通孔の周縁近傍に沿って上向きに突出する舌片を設けた座金本体と、始端部から終端部に向けて上り勾配を有するように１巻きの螺旋を形成するスプリングワッシャーとから成り、前記スプリングワッシャーを座金本体の上面に添設した状態で、前記舌片の先端に折曲形成した爪部によりスプリングワッシャーを抱持して成るバネ付き座金において、前記座金本体は、挿通孔の周方向に間隔をあけて少なくとも３本の舌片を設けることにより、前記スプリングワッシャーの巻回方向に向けて順次、第１舌片、第２舌片、第３舌片を構成し、第１舌片及び第２舌片の先端に折曲形成した爪部によりスプリングワッシャーを抱持すると共に、第３舌片の先端をスプリングワッシャーの周面に摺動自在に当接して成る点にある。
【００１４】
本考案の好ましい実施形態において、前記スプリングワッシャーは、始端部から終端部まで、該スプリングワッシャーの肉厚Ｔに相当するピッチＰで１巻きの螺旋を構成することにより上り勾配を有しており、前記座金本体の第１舌片、第２舌片、第３舌片は、挿通孔の周方向に等間隔をあけて配置され、前記第1舌片の爪部によりスプリングワッシャーの始端部の近傍部を抱持している。これに対して、前記第３舌片は、先端に爪部を設けておらず、座金本体の上面から該第３舌片の先端までの突出高さＨを、２／３Ｔ＜Ｈ≦２・Ｔとなるように形成されている。
【考案の効果】
【００１５】
本考案によれば、座金本体１１は、挿通孔１２の周方向に間隔をあけて少なくとも３本の舌片１３を設けることにより、スプリングワッシャー１４の始端部１４ａから終端部１４ｂに向かう巻回方向に順次、第１舌片１３ａ、第２舌片１３ｂ、第３舌片１３ｃを構成し、第１舌片１３ａ及び第２舌片１３ｂの先端に折曲形成した爪部１５ａ、１５ｂによりスプリングワッシャー１４を抱持すると共に、第３舌片１３ｃの先端１７をスプリングワッシャー１４の周面に摺動自在に当接した構成であるから、万一、第１舌片１３ａの爪部１５ａ又は第２舌片１３ｂの爪部１５ｂに折曲不良が生じている場合でも、等間隔をあけて配置された３本の舌片１３ａ、１３ｂ、１３ｃがいわば柵を構成することにより、スプリングワッシャー１４の周面を保持し、これにより、従来のようにスプリングワッシャー１４が偏心方向に位置ずれを起こしたり、座金本体１１から外れて脱落したりするようなことはなく、常に挿通孔１２に同心状に保持できるという効果がある。
【００１６】
しかも、ボルト・ナットを締結したとき、ボルト頭部又はナットから成る押圧部材１６により、スプリングワッシャー１４の終端部１４ｂが押下され、これにより第２舌片１３ｂの爪部１５ｂによる係止力が弱められても、スプリングワッシャー１４の周面を３本の舌片１３ａ、１３ｂ、１３ｃにより３点から保持しているので、ボルト・ナットの締着中にスプリングワッシャー１４が偏心方向に位置ずれを起こすことはない。
【００１７】
更に、本考案によれば、スプリングワッシャー１４は、始端部１４ａから終端部１４ｂに至り肉厚Ｔに相当するピッチＰで１巻きの螺旋を構成することにより上り勾配を有しており、座金本体１１の第１舌片１３ａ、第２舌片１３ｂ、第３舌片１３ｃは、挿通孔１２の周方向に等間隔をあけて配置されている。従って、第1舌片１３ａの爪部１５ａによりスプリングワッシャー１４の始端部１４ａの近傍部を抱持し、第２舌片１３ｂの爪部１５ｂによりスプリングワッシャー１４の第１中間部１４ｂを抱持した状態で、第３舌片１３ｃの先端１７は、前記始端部４ａ及び第１中間部１４ｃよりも上位に位置する第２中間部１４ｄの周面に摺動自在に当接させられる。そこで、ボルト・ナットを締着することによりスプリングワッシャー１４を圧縮すると、第２中間部１４ｄが第３舌片１３ｃにより保持された状態で下降するので、スプリングワッシャー１４は、第１舌片１３ａと、第２舌片１３ｂと、第３舌片１３ｃの３点により、全周にわたり好適に保持される。
【００１８】
そして、第３舌片１３ｃは、先端１７に爪部を折曲形成しておらず、先端１７をスプリングワッシャー１４の第２中間部１４ｄの周面に摺動自在に当接する構成とされているので、ボルト・ナットを締着した後においても、第３舌片１３ｃがスプリングワッシャー１４の第２中間部１４ｄを復元不能に拘束するように押しつぶされることはない。
【００１９】
つまり、仮に、第３舌片１３ｃの先端１７が第２中間部１４ｄを超えて上方に突出されていたり、先端１７に爪部を折曲形成したりしている場合は、ボルト・ナットを締着したときに、第３舌片１３ｃの先端１７が第２中間部１４ｄの上面に向けて押しつぶされることにより該第２中間部１４ｄを押さえ込み、スプリングワッシャー１４の第２中間部１４ｄから終端部１４ｂに至る領域を復元不能に拘束し、スプリングワッシャー１４の弾発機能を喪失するという問題がある。これに対して、本考案によれば、ボルト・ナットを締着したときに、第３舌片１３ｃの先端１７が第２中間部１４ｄの上面に向けて押しつぶされることはないので、第１中間部１４ｃから螺旋状に延びる第２中間部１４ｄ及び終端部１４ｂが上向きに弾発された状態にあり、ボルト・ナットのゆるみ止め機能を持続できるという効果がある。
【図面の簡単な説明】
【００２０】
【図１】本考案の１実施形態に係るバネ付き座金を示しており、（Ａ）は座金本体とスプリングワッシャーを分解状態で示す斜視図、（Ｂ）はＡ−Ａ線断面図である。
【図２】本考案の１実施形態に係るバネ付き座金を示しており、（Ａ）は座金本体にスプリングワッシャーを添設した状態で舌片を折曲する前の状態を示す斜視図、（Ｂ）は舌片を折曲した状態を示す斜視図である。
【図３】バネ付き座金の断面図を示しており、（Ａ）は図２（Ｂ）のＢ−Ｂ線断面図、（Ｂ）は図２（Ｂ）のＣ−Ｃ線断面図、（Ｃ）はボルト・ナットを締着した状態を示す断面図である。
【図４】本考案の作用を示しており、（Ａ）及び（Ｂ）は本考案に対する比較例の作用を示す断面図、（Ｃ）及び（Ｄ）は本考案の１実施例の作用を示す断面図、（Ｅ）及び（Ｆ）は本考案の別の実施例の作用を示す断面図である。
【図５】特許文献１により提案された従来のバネ付き座金を示しており、（Ａ）は平面図、（Ｂ）はＤ−Ｄ線断面図、（Ｃ）はボルト・ナットを締着した状態の断面図である。
【図６】特許文献２により提案された従来のバネ付き座金を示しており、（Ａ）は平面図、（Ｂ）はＥ−Ｅ線断面図、（Ｃ）はボルト・ナットを締着した状態の断面図である。
【考案を実施するための形態】
【００２１】
以下図面に基づいて本考案の好ましい実施形態を詳述する。
【００２２】
図１に示すように、座金本体１１は、中央に開設した挿通孔１２の内周縁から周方向にほぼ等間隔をあけて少なくとも３本の舌片１３を上向きに突設している。スプリングワッシャー１４は、前記挿通孔１２と同心状で前記舌片１３を囲む内径を有するコイルスプリングを構成し、始端部１４ａから終端部１４ｂまで、該スプリングワッシャー１４の肉厚Ｔに相当するピッチＰで１巻きの螺旋を構成し、始端部１４ａから終端部１４ｂに向けて上り勾配を有する。図例の場合、スプリングワッシャー１４は、始端部１４ａから終端部１４ｂに向けて平面視で時計針方向に巻回されており、この巻回方向に向けて順に、前記３本の舌片により、第１舌片１３ａ、第２舌片１３ｂ、第３舌片１３ｃを構成している。
【００２３】
尚、図面において、座金本体１１は、矩形板状に形成したものを示しているが、円板状に形成しても良い。また、前記舌片１３ａ、１３ｂ、１３ｃは、挿通孔１２の内周縁に設けたものを示しているが、図４に基づいて上述した従来技術のように、挿通孔１２の外周側に設け、スプリングワッシャー１４の外周面を囲むように構成しても良い。
【００２４】
図２（Ａ）に示すように、３本の舌片１３ａ、１３ｂ、１３ｃに沿わせるようにしてスプリングワッシャー１４を座金本体１１の上面に添設し、第１舌片３ａを始端部１４ａの近傍部に臨ませた状態で、図２（Ｂ）に示すように、第１舌片３ａ及び第２舌片３ｂの先端に爪部１５ａ、１５ｂを折曲形成することにより、スプリングワッシャー１４を抱持固定している。
【００２５】
図示実施形態の場合、３本の舌片１３ａ、１３ｂ、１３ｃは、挿通孔１２の周方向に１２０度の等間隔をあけて配置され、第１舌片１３ａの爪部１５ａによりスプリングワッシャー１４の始端部１４ａの近傍部を抱持し、第２舌片１３ｂの爪部１５ｂによりスプリングワッシャー１４の第１中間部１４ｃを抱持している。
【００２６】
これに対して、前記第３舌片１３ｃは、先端に爪部を折曲形成しておらず、上向きの先端１７をスプリングワッシャー１４の第２中間部１４ｄの周面に摺動自在に当接している。
【００２７】
スプリングワッシャー１４は、その肉厚Ｔに相当するピッチＰで１巻きの螺旋を構成しているので、第１中間部１４ｃは、始端部１４ａから約１２０度、ピッチにして約１／３Ｐだけ離れている。従って、第１中間部１４ｃの上面は、座金本体１１の上面からＴ＋約１／３Ｔだけ上方に離れ、その上に第２舌片３ｂの肉厚ｔとされた爪部１５ｂが配置されている。
【００２８】
スプリングワッシャー１４の第２中間部１４ｄは、前記第１中間部１４ｃから約１２０度、ピッチにして１／３Ｐだけ離れているので、該第２中間部１４ｄの上面は、座金本体１１の上面からＴ＋約２／３Ｔだけ上方に離れて位置している。そして、第２中間部４ｂの下面は、座金本体１１の上面から約２／３Ｔだけ上方に離れて位置している。
【００２９】
前記第３舌片１３ｃは、先端１７が前記第２中間部１４ｄの周面に常に接するように構成されており、このため、座金本体１１の上面から該先端１７までの突出高さＨは、少なくとも２／３Ｔ＜Ｈとなるように形成されている。しかしながら、突出高さＨが高過ぎると、後述する図３（Ａ）に示すように、ボルト・ナットの締着時に、先端１７が第２中間部１４ｄを押さえ込むように押しつぶされる問題があるので、Ｈ＜２・Ｔに形成するのが良く、結局、先端１７の突出高さＨを２／３Ｔ＜Ｈ≦２・Ｔとなるように形成している。
【００３０】
本考案のバネ付き座金によれば、万一、第１舌片１３ａの爪部１５ａ又は第２舌片１３ｂの爪部１５ｂに折曲不良が生じている場合でも、等間隔をあけて配置された３本の舌片１３ａ、１３ｂ、１３ｃがいわば柵を構成することにより、スプリングワッシャー１４の周面を保持するので、従来のようにスプリングワッシャー１４が偏心方向に位置ずれを起こしたり、座金本体１１から外れて脱落したりするようなことはなく、常に挿通孔１２に同心状に保持される。
【００３１】
そして、ボルト・ナットを締結したとき、図３（Ｃ）に示すように、ボルト頭部又はナットから成る押圧部材１６により、スプリングワッシャー１４の終端部１４ｂが押下され、これにより第１中間部１４ｃに対する第２舌片１３ｂの爪部１５ｂによる係止力が弱められても、スプリングワッシャー１４の周面を３本の舌片１３ａ、１３ｂ、１３ｃにより３点から保持しているので、ボルト・ナットの締着中にスプリングワッシャー１４が偏心方向に位置ずれを起こすことはない。
【００３２】
特に、本考案は、第１舌片１３ａの爪部１５ａによる始端部４ａの近傍部の保持と、第２舌片１３ｂの爪部１５ｂによる第１中間部１４ｃの保持に加えて、これらの始端部４ａ及び第１中間部１４ｃよりも上位に位置する第２中間部１４ｄの周面に第３舌片１３ｃの先端１７を摺動自在に当接させる構成であるから、スプリングワッシャー１４の圧縮時における第２中間部１４ｄの上下動を許しながら、該ワッシャー１４を全周にわたり好適に保持する。
【００３３】
ところで、図４（Ａ）（Ｂ）に示す比較例のように、第３舌片１３ｃの先端１７が第２中間部１４ｄを超えて上方に突出されていたり、先端１７に爪部１７ａを折曲形成したりしている場合は、ボルト・ナットを締着したときに、押圧部材１６が第３舌片１３ｃの先端１７又は爪部１７ａを第２中間部１４ｄの上面に向けて押しつぶすことにより係止片１７ｘを形成するので、これにより第２中間部１４ｄを押さえ込み、スプリングワッシャー１４の第２中間部１４ｄから終端部１４ｂに至る領域を復元不能に拘束し、スプリングワッシャー１４の弾発機能を喪失するという問題がある。
【００３４】
これに対して、本考案によれば、図４（Ｃ）及び（Ｄ）並びに図４（Ｅ）及び（Ｆ）に示すように、第３舌片１３ｃは、先端１７に爪部を折曲形成しておらず、座金本体１１の上面から先端１７までの突出高さＨを２／３Ｔ＜Ｈ≦２・Ｔとなるように形成しているので、ボルト・ナットを締着したときに、第３舌片１３ｃが第２中間部１４ｄを押さえ込むように押しつぶされることはない。
【００３５】
即ち、図４（Ｃ）に示す実施例の場合、第３舌片１３ｃの高さＨは、先端１７が第２中間部１４ｄの上面とほぼ同じ高さとなるように形成されている。従って、ボルト・ナットを締着したとき、図４（Ｄ）に示すように、押圧部材１６が第２中間部１４ｄを圧縮しながら第３舌片１３ｃを押しつぶすときでも、先端１７が第２中間部１４ｄを押さえ込むような係止片を折曲形成することはない。この点に関して、高さＨをＨ＝２・Ｔに形成するときは、先端１７が第２中間部１４ｄの上面から僅かに突出するため、ボルト・ナットを締着したとき、先端１７が第２中間部１４ｄの上面に向けて折曲される可能性があるが、その折曲による突出量が微小であるため、回転しながら圧接する押圧部材１６の下面と第２中間部１４ｄの間で擦り切れてしまい、第２中間部１４ｄを復元不能に押さえ込むような係止片は形成されない。
【００３６】
また、図４（Ｅ）に示す別の実施例の場合、第３舌片１３ｃの高さＨは、先端１７が第２中間部１４ｄの上面よりも下方に位置する高さとなるように形成されている。従って、ボルト・ナットを締着したとき、図４（Ｅ）に示すように、押圧部材１６が第２中間部１４ｄを圧縮しながら下降しても、第３舌片１３ｃの先端１７が押しつぶされることはないので、第２中間部１４ｄを復元不能に押さえ込むことはない。
【００３７】
その結果、本考案によれば、ボルト・ナットを締着した後においても、第２中間部１４ｄが第３舌片１３ｃにより復元不能に押さえ込まれることはないので、スプリングワッシャー１４の第１中間部１４ｃから螺旋状に延びる第２中間部１４ｄ及び終端部１４ｂに至る領域は、常に、上向きに弾発された状態とされ、ボルト・ナットのゆるみ止め機能を持続する。
【００３８】
本考案の図示実施形態において、第３舌片１３ｃは、先端１７を直立状としてスプリングワッシャー１４の第２中間部１４ｄの内周に当接させたものを示したが、上述のように、高さＨを２／３Ｔ＜Ｈ≦２・Ｔとなるように形成する限り、先端１７を第２中間部１４ｄの周面に向けて傾斜するように屈曲させたものとしても良い。
【符号の説明】
【００３９】
１１  座金本体
１２  挿通孔
１３ａ  第１舌片
１３ｂ  第２舌片
１３ｃ  第３舌片
１４  スプリングワッシャー
１４ａ  始端部
１４ｂ  終端部
１４ｃ  第１中間部
１４ｄ  第２中間部
１５ａ  第１舌片の爪部
１５ｂ  第２舌片の爪部
１６  押圧部材
１７  第３舌片の先端
【図１】
0003156046.tif 000003
【図２】
0003156046.tif 000004
【図３】
0003156046.tif 000005
【図４】
0003156046.tif 000006
【図５】
0003156046.tif 000007
【図６】
0003156046.tif 000008